(57)【要約】【課題】施術者又は作業者の頭部に装着され、手元における施術又は作業の状況をモニタに表示可能な着脱式撮像装置を提供する。【解決手段】撮像装置２と光源装置３とは装着部４に保持されており、操作者は装着部４を身体に装着することでカメラを着用することができる。そして、光源装置３はＬＥＤ６を収容している筐体ケース１０を備えて、筐体ケース１０が装着部４に取り付けられている軸４に回動可能に支持されていることで、光源装置３は装着部４に保持される。これにより、筐体ケース１０を軸４を支点に回転させることで、内部に収容しているＬＥＤ６の光軸を撮像装置２の被写体に合わせる調整を行うことができる。【選択図】図２
2015109894.tif 000002
【特許請求の範囲】
【請求項１】
被写体を撮像し画像データに変換して出力する撮像装置と、
前記被写体に光を照射する光源装置と、
前記撮像装置と前記光源装置とを一体に保持して操作者の身体に装着される装着部と、を備え、
前記光源装置は、
前記被写体への照射光の光源であるＬＥＤと、
前記照射光の光軸の角度を上下方向に調整する光方向変更部と、を備えたことを特徴とする着脱式撮像装置。
【請求項２】
前記光方向変更部は、光軸の角度を水平方向に対して略３°の範囲で変更可能にしたことを特徴とする請求項１に記載の着脱式撮像装置。
【請求項３】
前記光源装置は筐体ケースに前記ＬＥＤを収容して構成されて、
前記光方向変更部は、前記筐体ケースを上下方向に回動可能とすることで前記光軸の角度を調整することを特徴とする請求項１又は２に記載の着脱式撮像装置。
【請求項４】
前記光方向変更部は、前記筐体ケースの回動支点軸に固設される第１ギアと前記装着部に固設される第２ギアとで構成されることを特徴とする請求項３に記載の着脱式撮像装置。
【請求項５】
前記画像データを表示するために別に設けられる映像処理装置から前記撮像装置及び前記光源装置への電源が供給されることを特徴とする請求項１に記載の着脱式撮像装置。
【請求項６】
前記映像処理装置とＵＳＢケーブルと接続するためのＵＳＢ３．０規格に沿ったＵＳＢレセプタクルを備えたことを特徴とする請求項４に記載の着脱式撮像装置。
【請求項７】
前記撮像装置の撮像動作を制御するコントロールユニットを備えて、フレキシブルコードによって前記撮像装置と前記光源装置とに接続したことを特徴とする請求項１に記載の着脱式撮像装置。
【請求項８】
前記コントロールユニットは、操作者の身体に着用可能にしたことを特徴とする請求項７に記載の着脱式撮像装置。
【請求項９】
前記撮像装置の撮像動作を制御するコントロールユニットを備えて、前記コントロールユニットは、前記光源装置と前記撮像装置への電源供給部を含むことを特徴とする請求項１に記載の着脱式撮像装置。
【請求項１０】
前記電源供給部は、充電可能なバッテリー電源であることを特徴とする請求項９に記載の着脱式撮像装置。
【請求項１１】
作業者が着用する眼鏡状のフレームのブリッジ部に前記装着部を装着することを特徴とする請求項１に記載の着脱式撮像装置。
【請求項１２】
一対の把持片を有した把持具により、前記ブリッジ部を直接把持又は前記ブリッジ部に形成した係合部を把持して前記装着部を装着することを特徴とする請求項１１に記載の着脱式撮像装置。
【請求項１３】
リンク機構を介して前記把持具を前記装着部に装着することを特徴とする請求項１２に記載の着脱式撮像装置。
【発明の詳細な説明】
【技術分野】
【０００１】
本発明は、手元作業の経過を撮像記録する着脱可能な撮像装置に関するものであり、特に医療施術の撮像に好適な着脱式撮像装置に関する。
【背景技術】
【０００２】
医療施術（手術）のような精確性を要求される施術や作業（以下、適宜「作業」という）を行う場合、作業の経過を撮像装置（カメラ）によって撮像することにより、映像の観察者が作業者に指示や助言等をリアルタイムで与えることができ作業に精確性を期すことができる。また、作業の様子を映像で記録しておけば、作業が適切に行われているかを後で確認することも可能となる。
【０００３】
例えば医療分野においては、医療施術を行っている箇所の状況を撮影して映像をモニタで表示することで、医師の補助者や施術対象者の家族などが施術状況を観察できるようになる。また、施術の映像を記録すれば、施術後に患者や家族に対して行う際の説明の資料や学術的な資料としても大いに有効となる。
【０００４】
このように作業の経過や様子を撮像装置で捉える場合、作業者が作業に集中できるようにするためには、撮像することが作業者への負担とならないようにすることが重要である。そのため、医療施術の場合においては、施術時に医師が顔に着用する双眼ルーペに撮像装置を組み込むことにより、医師が双眼ルーペを通して観察している施術適用部位の状況を撮像装置が撮像できるようにした医療用撮影装置が知られている。
【０００５】
このような双眼ルーペに撮像装置を組み込む構成に関して、従来から、双眼ルーペの左右二つの鏡筒部分の一方には撮像装置を取り付けて、他方には双眼ルーペにより視認される部位を照射するスポットライトを取り付けた双眼ルーペが知られている（例えば、特許文献１を参照）。また、撮像装置を着用者の頭上にヘッドバンドで支持して、双眼ルーペの鏡筒部分の間にスポットライトを配置した構成のヘッドマウント型双眼ルーペ装置も知られている（例えば、特許文献２を参照）。この場合、双眼ルーペが捉えた像は、光学系を通して撮像装置に導かれて撮像される。
【先行技術文献】
【特許文献】
【０００６】
【特許文献１】特開２００３−２０４９７２号公報
【特許文献２】特開２００９−９８５７０号公報
【発明の概要】
【発明が解決しようとする課題】
【０００７】
しかしながら、従来の医療用撮像カメラは、撮像装置及びスポットライトが双眼ルーペに一体に組み込まれているために、構造が複雑となるばかりか双眼ルーペでしか使用できず撮像装置としての汎用性がなかった。
【０００８】
本発明は、上記課題に鑑みてなされたものであって、操作者が任意に着用できて、しかも確実且つ適切な撮影を行うことができる着脱式撮像装置の提供を目的としている。
【課題を解決するための手段】
【０００９】
本発明は、上記課題を解決するために、被写体を撮像し画像データに変換して出力する撮像装置と、前記被写体に光を照射する光源装置と、前記撮像装置と前記光源装置とを一体に保持して操作者の身体に装着される装着部とを備え、前記光源装置は、前記被写体への照射光の光源であるＬＥＤと、前記照射光の光軸の角度を上下方向に調整する光方向変更部と、を備えた着脱式撮像装置を提供するものである。このとき、前記光方向変更部は、光軸の角度を水平方向に対して略３°の範囲で変更可能とするとよい。
【００１０】
そして、前記光源装置は筐体ケースに前記ＬＥＤを収容して構成されて、前記光方向変更部は、前記筐体ケースを上下方向に回動可能とすることで前記光軸の角度を調整するとよい。この場合の構成例として、前記光方向変更部は、前記筐体ケースの回動支点軸に固設される第１ギアと前記装着部に固設される第２ギアとで構成される。
【００１１】
また、本発明に係わる着脱式撮像装置は、前記画像データを表示するために別に設けられる映像処理装置から前記撮像装置及び前記光源装置への電源が供給されるようにしてもよい。このとき着脱式撮像装置と前記映像処理装置とはＵＳＢ接続であってもよく、ＵＳＢ接続する場合には３．０規格が最適である。
【００１２】
一方、前記撮像装置の撮像動作を制御するコントロールユニットを備えて、フレキシブルコードによって前記撮像装置と前記光源装置とに接続する。この場合、前記コントロールユニットには、前記光源装置と前記撮像装置への電源供給部を含むものでもよい。前記電源供給部は充電可能なバッテリー電源でもよい。
【００１３】
そして、本発明に係わる着脱式撮像装置は、作業者が着用する眼鏡状のフレームのブリッジ部に前記装着部を装着することができる。この場合、一対の把持片を有した把持具により前記ブリッジ部を直接把持又は前記ブリッジ部に形成した係合部を把持して装着できる。
【００１４】
また、リンク機構を介して前記把持具を前記装着部に装着することで、着脱式撮像装置１を上下及び前後へと任意に移動させることができる。
【発明の効果】
【００１５】
本発明によれば、撮像装置と光源装置とを保持している装着部を双眼ルーペ等の操作者の着用物に取り付ける構造のため、カメラの構造が簡略化されると共に汎用性も高まる。しかも、光源装置に光方向変更部を設けることで被写体に対して光軸を任意に合わせることができるため、多数の光源を撮像装置のレンズ周辺に配置したり、または照度の高い大容量の光源を使用せずとも、効率良く被写体を照らして確実且つ適切な撮影を行うことができる。
【図面の簡単な説明】
【００１６】
【図１】本発明の実施形態に係る着脱式撮像装置を側面から示す図。
【図２】光源装置の構成を側面から一部を断面により示す図。
【図３】光源装置による光軸の角度調整を示す説明図。
【図４】着脱式撮像装置の一部を側面から示して光方向変更部の他の構成例を説明する図。
【図５】本発明に係わる着脱式撮像装置の双眼ルーペへの取り付けを説明する図。
【図６】本発明の別の実施形態に係る着脱式撮像装置を側面から示す図。
【図７】本発明に係わる着脱式撮像装置の取り付けの他の実施例を説明する図
【図８】図７に示す取り付けで用いる把持具及びリンク機構の構成を示す側面図。
【図９】本発明に係る着脱式撮像装置の構成を示すブロック図。
【発明を実施するための形態】
【００１７】
本発明に係る着脱式撮像装置の最適な実施形態について図面を参照しながら説明する。本実施形態では、医療現場において医師が施術を行う際の施術箇所の様子を映像によって記録する場合について例示する。本発明に係わる着脱式撮像装置は、特に医療現場に限定されるものではなく、各種現場での作業の映像記録にも使用される。
【００１８】
図１は着脱式撮像装置１を示す図で、撮像装置２と光源装置３とを板形状を有する装着部４上に配置して構成される。
【００１９】
撮像装置２は、ＣＣＤ又はＣＭＯＳによるイメージセンサを用いて動画又は静止画の撮像を行うもので、フラットなフレキシブルコード５から、電源や制御信号が供給されると共にイメージセンサによる撮像信号を出力する。撮像装置２には超小型のマイクロカメラを使用することで、医師が手術を行う際に着用して容易に保持することができる。このようなマイクロカメラとしては、例えば、１６．５ｍｍ（Ｗ）×１０．３ｍｍ（Ｈ）×１８．０ｍｍ（Ｄ）の外形寸法に１３１９万画素のイメージセンサを搭載して、フルハイビジョン動画や高画質な静止画が撮像可能なマイクロカメラが市販されており、このようなカメラが本発明に係わる着脱式撮像装置１の撮像装置２として好適である。
【００２０】
図２は、光源装置３の構造を側面から一部を断面図で示している。光源装置３は、ＬＥＤ６と、ＬＥＤ６からの光を受光する受光部７と、反射板８と、照光レンズ９とを筐体ケース１０に内蔵して構成される。筐体ケース１０の天面にはＬＥＤ６を搭載してフレキシブルコード１１によって後方と配線接続されるＬＥＤ基板１２を配置している。尚、医療施術に用いる着脱式撮像装置１の場合には、ＬＥＤ６の発光色は白色が好ましい。
【００２１】
このような構成の光源装置３において、受光部７はＬＥＤ６が発光する光を集光して下方に配置される反射板８へ照射し、反射板８はこの光を反射して９０°屈折させる。そして、筐体ケース１０の前面の透孔部には照光レンズ９を配置しており、照光レンズ９は反射板８からの反射光を集光して外部に照射する。
【００２２】
筐体ケース１０は、ＬＥＤ６の発熱を放散させるために熱伝導性に優れた金属材料、例えばアルミニウムで構成される。アルミニウムは軽量な点からも着脱式撮像装置１には最適な材料である。また、ＬＥＤ基板１２の背面の全面又はＬＥＤ６の発熱状態に応じて部分的にヒートシンク１３が取り付けられる。これによりＬＥＤ６が発する熱はＬＥＤ基板１２からヒートシンク１３に伝達され、ヒートシンク１３のフィン（図示しない）から外部へ放熱される。
【００２３】
また、筐体ケース１０は、その両側板の下方の照光レンズ９側と反対側の端部に挿通される軸１４を備えており、この軸１４を装着部４から突出して形成されている一対の支持片４Ａに架け渡している。よって、筐体ケース１０は、軸１４を支点として回動自在なよう装着部４に支持されると共に、軸１４の端部に形成されているネジ部がナット１５と螺合して装着部４に固着される。このときのナット１５による締め付けの強度は、筐体ケース１０に力を加えれば軸１４を支点にして回動することができ、そして回動を停止したとき、光源装置３の自重により回転せずにそのときの回動位置に筐体ケース１０が留まる程度の強さとなっている。
【００２４】
したがって、照光レンズ９からの照射光の光軸を撮像装置１が撮像する被写体に合わせるには、軸１４を支点にして筐体ケース１０を回動させることで、照光レンズ９からの照射光の光軸Ｌを上下に移動させることができる。このような構成においては、軸１４とナット１５とが光方向変更部として機能する。
【００２５】
作業者が、例えば後に述べる双眼ルーペ２０（図５）のような眼鏡フレームに着脱式撮像装置１を装着して、手先で作業している対象物を撮像する場合、図３で示すように、撮像装置１のカメラレンズから手先の作業対象物である被写体１６までの距離Ｄは大凡４００ｍｍ程であるが、人によってバラツキがあるためにその前後で数１０ｍｍ程度の範囲が見込まれる。そして、この範囲をカバーするには、照光レンズ９の光軸Ｌの水平線に対する角度θを略３°の範囲内で傾けることができれば、作業者の個々に応じて被写体に光軸を合わせる調整が可能となる。したがって、光源装置３は、筐体ケース１０の略３°の範囲で回動可能にすればよいためコンパクトに設計でき、小型化された着脱式撮像装置１が提供される。
【００２６】
図４は、光方向変更部の他の実施例による構成を示すもので、回動可能に装着部４に支持されている軸１４に筐体ケース１０と共に第１ギア３５を固定して取り付け、装着部４には第１ギア３５と噛み合う第２ギア３６を固設して構成している。この例においては、筐体ケース１０を上下方向に回転移動させて光軸の角度を調整したときの位置が両方のギア３５及び３６の噛み合いによって保持され、単に筐体ケース１０をナット１５で締め付ける上記実施例の構成による光方向変更部と比べて、光源装置３が自重により回転して光軸Ｌが変動してしまう不具合がより確実に防止することができる。この場合、ギア３６の径をギア３５の径よりも大きく設定するとなおよい。尚、上述したように筐体ケース１０の回転角度の範囲は略３°程度であるから、ギア３５及び３６は円形である必要はなく、扇形のセクターギアであってもよい。
【００２７】
図５は、本実施の形態の着脱式撮像装置１を双眼ルーペ２０に適用した例を示している。双眼ルーペ２０は、精密作業での手先の局所的な視覚対象物を拡大して視認する手段として、医療分野、精密工作、宝石加工等の各分野に広く使用されており、眼鏡と同じ構造の主鏡取付用フレーム２１と、作業対象の像を拡大するための双眼ルーペ本体２２（主鏡）と、双眼ルーペ本体２２を主鏡取付用フレーム２１に取り付けるための主鏡取付部２３と、精密操作者の視力の保障が可能な焦点調整部２４と、双眼ルーペ本体を取り付けるための主鏡取付用キャリアレンズ２５と、精密操作者に装着するためのフレーム蔓部２６とから構成されている。
【００２８】
着脱式撮像装置１は、主鏡取付用フレーム２１の上部中央のブリッジ部２７に取り付けられる。着脱式撮像装置１は、板状の装着部２８の下端にビス孔２９が形成されている。よって、ビス３０をブリッジ部２７に形成されている透孔３１と装着部２８のビス孔２９に貫通させて締め付けることにより、着脱式撮像装置１を双眼ルーペ２０に取り付けることができる。双眼ルーペ２０には深い焦点深度が求められるが、このように双眼ルーペ２０に着脱式撮像装置１を組み合わせることで、光源装置３からの照明によって深い焦点深度が実現できる効果もある。
【００２９】
着脱式撮像装置１を双眼ルーペ２０に取り付けるには、このようなビス留め以外にも装着部４をクリップ構造にしてブリッジ部２７を挟持して固着させてもよい。図６は、装着部４をクリップ構造で構成した例を示している。この場合の装着部４は、撮像装置２と光源装置３とが装着される固定板４ａと、固定板４ａに対し軸４ｃを支点にして回動可能な可動板４ｂとから構成されている。可動板４ｂの固定板４ａと対向する表面には押え部材４ｄが形成されている。押え部材４ｄは、固定板４ａと共働して挟持物、この場合は双眼ルーペ２０のブリッジ部２７を保持するもので、可撓性で且つ摩擦係数の高いゴム等の材質で構成されている。
【００３０】
そして、軸４ｃにはコイルバネが巻回されており、コイルバネの両端は固定板４ａと可動板４ｂとにそれぞれ当接している。このコイルバネの付勢に抗して可動板４ｂの操作側端部を固定板４ａ側に近づけると、可動板４ｃが固定板４ａから離反し、この状態でブリッジ部２７を挟んで操作側の端部を離すと、コイルバネ４ｄの付勢により可動板４ｃの挟持側端部が固定板４ａに接近して押え部材４ｄと固定板４ａとでブリッジ部２７を挟持して、着脱式撮像装置１が双眼ルーペ２０に装着される。
【００３１】
図７及び図８は、着脱式撮像装置１の他の取り付けの例を示している。この例では、着脱式撮像装置１を眼鏡３２に取り付けるもので、眼鏡３２は視力矯正のための通常のレンズ３３がフレーム３４に嵌め込まれているが、着脱式撮像装置１を身体に装着する目的のために使用する素通しの眼鏡であってもよい。また、上記の双眼ルーペであってもよい。また、この例では、装着した着脱式撮像装置１を上下及び前後へと任意に移動させることが可能な構成となっている。
【００３２】
先ず、取り付けについて説明すると、着脱式撮像装置１は、把持具５５によってフレーム３４の上部中央のブリッジ部３７に形成した係合部３８に取り付けられる。把持具５５は、それぞれの一端部が同軸で回転自在に支持される一対の把持片５５Ａ及び５５Ｂと、ネジ５６と、バネ５７と、ナット５８とを含む。ネジ５６は、把持片５５Ｂに固定で取り付けられており、ネジ軸の先端は把持片５５Ａを貫通してナット５８と嵌合している。そして、このネジ軸の把持片５５Ａと把持片５５Ｂとの間の部分にはバネ５７が嵌め込まれている。したがって、ナット５８を締付方向に回転させると、把持片５５Ｂはナット５８に押圧されて把持片５５Ａに接近して、これにより把持片５５Ａ及び５５Ｂは係合部３８を把持して着脱式撮像装置１は眼鏡３２に装着される。把持片５５Ａ及び５５Ｂの把持側の先端には突起５９が形成されており、突起５９が係合部３８の上面及び下面に形成された凹部３９と係止することで取り付けが確実となる。また、ブリッジ部３７に係合部３８を形成せずにブリッジ部３７を把持具５５によって直接把持する構成であってもよい。
【００３３】
そして、把持具５５はリンク機構６０を介して装着部４と連結されている。リンク機構６０は、両端にジョイント部を備えた複数のリンク６１を接続して成り、ジョイント部が自由度を持って動くことで、着脱式撮像装置１は、把持具５５から離反や接近する前後方向と上下方向とに動くことができる。したがって、眼鏡３２の着用者が被写体に対して撮像装置２のレンズをリンク機構６０の可動範囲内で任意に動かして距離や撮像角度を調整することができる。そして、被写体に対するレンズの位置の調整後、それに応じて、光源装置３の光軸を光方向変更部によって被写体に合わせることで、より確実で且つ適切な撮影を行うことができる
図９は、着脱式撮像装置１の電気的な構成をブロック図で示している。撮像装置２のフレキシブルコード５及び光源装置３のフレキシブルコード１１は、それぞれコントロールユニット４０に接続される。コントロールユニット４０は、図７で示すように、入力操作部４１とＵＳＢ（ユニバーサル・シリアル・バス）レセプタクル４２とカメラ制御部４３とを含んで構成されている。入力操作部４１は、撮像装置２及び光源装置３のオン・オフ、動画と静止画との切り換え、動画又は静止画による撮像時の画質の指定及びオートフォーカス設定等を入力する各種スイッチを備えている。そして、コントロールユニット４０は、着脱式撮像装置１の操作者の例えば腰ベルト等によって装着可能なボックスに収容されている。
【００３４】
コントロールユニット４０は、ＵＳＢレセプタクル４２にＵＳＢケーブル４８のＵＳＢプラグが差し込まれて、映像処理装置５０と接続される。映像処理装置５０は、着脱式撮像装置１が撮像した画像データを処理して表示するために別に設けられるもので、例えば、パーソナルコンピュータによって構成される。本実施例においては、映像処理装置５０はＵＳＢホスト装置で電力供給機能を有しており、着脱式撮像装置１にはＵＳＢケーブル４８を通して電源部４７からの電源が供給される。したがって、コントロールユニット４０は、ＵＳＢレセプタクル４２に電源が供給されると、カメラ制御部４３は撮像装置２と光源装置３に動作電圧をそれぞれ供給する。
【００３５】
カメラ制御部４３は、入力操作部４１への入力操作に応じて、撮像装置２と光源装置３とへの動作電源の供給を制御すると共に、撮像装置２に対して動画と静止画との切り換え、動画又は静止画による撮像時の画質指定及びオートフォーカス設定等の撮像装置２に係わる制御を行う。
【００３６】
そして、カメラ制御部４３は、撮像装置２の撮像動作の開始を制御する。この場合、着脱式撮像装置１を映像処理装置５０とＵＳＢケーブル４８によって接続することにより、カメラ制御部４３が電源部４７からの電源を撮像装置５に供給し撮像装置２が動作することでカメラ制御部４３による撮像装置２の撮像動作の開始を制御することになる。
【００３７】
動画撮像の場合で説明すると、撮像装置２は例えば３０フレーム／秒で被写体の動画を撮像するもので、イメージセンサが被写体からの反射光を捉えて生成するアナログ信号を動画のフレーム毎に画像データに順次変換してカメラ制御部４３に出力する。カメラ制御部４３は、画像データをＵＳＢレセプタクル４２からＵＳＢケーブル４８を通して映像処理装置５０に送信する。そして、映像処理装置５０は、ＵＳＢケーブル４８を介して送られてくる画像データを順次取り込んでモニタに出力し動画が表示される。同時に、映像処理装置５０は、後に動画を再生可能なように１フレーム毎の画像データにＪＰＥＧ圧縮を行ってメモリに記憶し動画の画像ファイルを作成する。
【００３８】
上述したように、本実施の形態においては、着脱式撮像装置１と映像処理装置５０とをＵＳＢケーブル４８で接続することで、映像処理装置５０への画像データの送信及び着脱式撮像装置１への電源供給を行うものであるが、ＵＳＢは規格の３．０以上を用いるとよい。ＵＳＢ３．０を用いると着脱式撮像装置１から映像処理装置５０への画像データの転送速度がこれ以前の規格のＵＳＢと比べて高速となるために、フレームレートを高くすることができて画面表示が滑らかとなり、また、高い画質に設定することもできる。しかも、ＵＳＢ３．０は、バスパワーの給電能力がＵＳＢ２．０の約１．８倍とされており、消費電力が大きい高機能で且つ高性能な撮像装置２を使用することができる。しかも光源装置３においても照度の高いＬＥＤ６を使用することができるために、被写体への充分な照度を確保することができる。
【００３９】
そして、映像処理装置５０と着脱式撮像装置１とをＵＳＢケーブル４８によって接続することで、画像データの処理は映像処理装置５０で行われるためにカメラ制御部４３の構成が簡略化されると共に電源供給部を備える必要がなく、軽量化されて着用に適した着脱式撮像装置１が提供される。
【００４０】
一方、コントロールユニット４０に電源供給部を含むようにしてもよい。この場合のコントロールユニット４０の電源供給部は、商用電源から電源コードを介して供給されるＡＣ電源をＤＣ電源に変換して撮像装置２と光源装置３へ電源を供給する。
【００４１】
また、コントロールユニット４０の電源供給部を充電が可能なバッテリー電源によって構成して、撮像装置２及び光源装置３へ供給してもよい。バッテリー電源の場合には、長時間の医療施術でも充分な電源を供給すべく、ＡＣ電源に接続された充電器からバッテリー電源へ充電しながら、撮像装置２と光源装置２への動作電源の供給を行うよう構成するとよい。
【００４２】
さらに、着脱式撮像装置１を操作者に着用させるには、このような双眼ルーペ２０に限るものではなく、帽子やヘッドバンドであっても良い。
【産業上の利用可能性】
【００４３】
本発明は、施術者又は作業者に着用されて手元における施術又は作業の状況をモニタに表示可能な着脱式撮像装置に関するものであって、産業上の利用可能性を有する。
【符号の説明】
【００４４】
１      着脱式撮像装置
２      撮像装置
３      光源装置
４      装着部
６      ＬＥＤ
１４    軸（光方向変更部）
１５    ナット（光方向変更部）
２０    双眼ルーペ
２２    双眼ルーペ本体（主鏡）
２７    ブリッジ部
３５    第１ギア（光方向変更部）
３６    第２ギア（光方向変更部）
４０    コントロールユニット
４２    ＵＳＢレセプタクル
４８    ＵＳＢケーブル
５５    把持部
５５Ａ  把持片
５５Ｂ  把持片
６０    リンク機構
【図１】
2015109894.tif 000003
【図２】
2015109894.tif 000004
【図３】
2015109894.tif 000005
【図４】
2015109894.tif 000006
【図５】
2015109894.tif 000007
【図６】
2015109894.tif 000008
【図７】
2015109894.tif 000009
【図８】
2015109894.tif 000010
【図９】
2015109894.tif 000011
【手続補正書】
【提出日】平成27年1月6日(2015.1.6)
【手続補正１】
【補正対象書類名】特許請求の範囲
【補正対象項目名】全文
【補正方法】変更
【補正の内容】
【特許請求の範囲】
【請求項１】
被写体を撮像し画像データに変換して出力する撮像装置と、
前記被写体に光を照射する光源装置と、
前記撮像装置と前記光源装置とを一体に保持して操作者の身体に装着される装着部と、
前記装着部を装着する対象を把持する一対の把持片を有した把持具と、
前記把持具と前記装着部とを接続するリンク機構と、
を備え、
前記光源装置は、
前記被写体への照射光の光源であるＬＥＤと、
前記照射光の光軸の角度を上下方向に調整する光方向変更部と、を有し、
前記リンク機構を構成する複数のリンクを動かすことで前記装着部を把持具から離反や接近する前後方向と上下方向に動かして被写体までの距離や角度を調整すると共に、前記光方向変更部により前記ＬＥＤの光軸を前記被写体に合せるようにしたことを特徴とする着脱式撮像装置。
【請求項２】
前記光方向変更部は、光軸の角度を水平方向に対して略３°の範囲で変更可能にしたことを特徴とする請求項１に記載の着脱式撮像装置。
【請求項３】
前記光源装置は筐体ケースに前記ＬＥＤを収容して構成されて、
前記光方向変更部は、前記筐体ケースを上下方向に回動可能とすることで前記光軸の角度を調整することを特徴とする請求項１又は２に記載の着脱式撮像装置。
【請求項４】
前記光方向変更部は、前記筐体ケースの回動支点軸に固設される第１ギアと前記装着部に固設される第２ギアとで構成されることを特徴とする請求項３に記載の着脱式撮像装置。
【請求項５】
前記画像データを表示するために別に設けられる映像処理装置から前記撮像装置及び前記光源装置への電源が供給されることを特徴とする請求項１に記載の着脱式撮像装置。
【請求項６】
前記映像処理装置とＵＳＢケーブルと接続するためのＵＳＢ３．０規格に沿ったＵＳＢレセプタクルを備えたことを特徴とする請求項５に記載の着脱式撮像装置。
【請求項７】
前記撮像装置の撮像動作を制御するコントロールユニットを備えて、フレキシブルコードによって前記撮像装置と前記光源装置とに接続したことを特徴とする請求項１に記載の着脱式撮像装置。
【請求項８】
前記コントロールユニットは、操作者の身体に着用可能にしたことを特徴とする請求項７に記載の着脱式撮像装置。
【請求項９】
前記撮像装置の撮像動作を制御するコントロールユニットを備えて、前記コントロールユニットは、前記光源装置と前記撮像装置への電源供給部を含むことを特徴とする請求項１に記載の着脱式撮像装置。
【請求項１０】
前記電源供給部は、充電可能なバッテリー電源であることを特徴とする請求項９に記載の着脱式撮像装置。
【請求項１１】
作業者が着用する眼鏡状のフレームのブリッジ部に前記装着部を装着することを特徴とする請求項１に記載の着脱式撮像装置。
【手続補正２】
【補正対象書類名】明細書
【補正対象項目名】０００９
【補正方法】変更
【補正の内容】
【０００９】
本発明は、上記課題を解決するために、被写体を撮像し画像データに変換して出力する撮像装置と、前記被写体に光を照射する光源装置と、前記撮像装置と前記光源装置とを一体に保持して操作者の身体に装着される装着部と、前記装着部を装着する対象を把持する一対の把持片を有した把持具と、前記把持具と前記装着部とを接続するリンク機構と、を備え、前記光源装置は、前記被写体への照射光の光源であるＬＥＤと、前記照射光の光軸の角度を上下方向に調整する光方向変更部と、を有し、前記リンク機構を構成する複数のリンクを動かすことで前記装着部を把持具から離反や接近する前後方向と上下方向に動かして被写体までの距離や角度を調整すると共に、前記光方向変更部により前記ＬＥＤの光軸を前記被写体に合せるようにした着脱式撮像装置を提供するものである。このとき、前記光方向変更部は、光軸の角度を水平方向に対して略３°の範囲で変更可能とするとよい。
【手続補正３】
【補正対象書類名】明細書
【補正対象項目名】００１４
【補正方法】削除
【補正の内容】